(57)【要約】【課題】断熱基礎建物において、床下に設置される恒温収納庫を、暖房の行われる冬期において適正に機能させることができ、しかも、それをうまく実現することができる断熱基礎建物における床下恒温収納システムを提供する。【解決手段】基礎２を断熱基礎とし、断熱基礎２で囲まれた床下空間部９に恒温収納庫１１が設けられた建物において、前記断熱基礎２と隣り合う屋外の土間コンクリート５ａ中に吸冷用熱交換器６が埋込み状態に設けられると共に、前記恒温収納庫１１にその内部に放冷する放冷用熱交換器７が備えられ、冬期暖房時、該コンクリート土間５ａの上に積もった雪により、前記吸冷用熱交換器６、放冷用熱交換器７を通じて恒温収納庫１１内の温度が周囲床下空間部９の温度より低く維持されるようになされている。【選択図】      図１
2005105646.tif 000002
【特許請求の範囲】
【請求項１】
基礎を断熱基礎とし、断熱基礎で囲まれた床下空間部に恒温収納庫が設けられた建物において、前記断熱基礎と隣り合う屋外の土間コンクリート中に吸冷用熱交換器が埋込み状態に設けられると共に、前記恒温収納庫にその内部に放冷する放冷用熱交換器が備えられ、冬期暖房時、該コンクリート土間の上に積もった雪により、前記吸冷用熱交換器、放冷用熱交換器を通じて恒温収納庫内の温度が周囲床下空間部の温度より低く維持されるようになされていることを特徴とする断熱基礎建物における床下恒温収納システム。
【請求項２】
前記屋外のコンクリート土間が建物の北側に備えられている請求項１に記載の断熱基礎建物における床下恒温収納システム。
【請求項３】
基礎を断熱基礎とし、断熱基礎で囲まれた床下空間部に恒温収納庫が設けられた建物において、前記断熱基礎と隣り合う屋外のコンクリート土間の上面よりも下位に該土間コンクリートに蓄熱作用を及ぼす態様で吸冷用熱交換器が埋込み状態に設けられると共に、前記恒温収納庫にその内部に放冷する放冷用熱交換器が備えられ、冬期暖房時、該コンクリート土間の上に積もった雪により、前記吸冷用熱交換器、放冷用熱交換器を通じて恒温収納庫内の温度が周囲床下空間部の温度より低く維持されるようになされていることを特徴とする断熱基礎建物における床下恒温収納システム。
【発明の詳細な説明】
【技術分野】
【０００１】
本発明は、例えばジャガイモやタマネギなどの保存に用いられる、断熱基礎建物における床下恒温収納システムに関する。
【背景技術】
【０００２】
北海道等の寒冷地において、基礎を断熱基礎とする断熱基礎建物が普及としているが、この断熱基礎建物では、基礎部分で断熱がなされるので、床上と床下との間が断熱材で断熱されず、冬期には暖房で、床下も床上と同様に暖かく保たれる。例えば、床上が２０°Ｃに暖房されていれば床下も例えば２０°Ｃとなる。そのため、良い面が多々あるのであるが、悪い面も若干あり、例えば、床下に、内部が５〜１０°Ｃに保たれなければならない恒温収納庫を設置した場合に、冬期の暖房時に、その恒温収納庫の内部が床下の熱で暖められてしまい、恒温収納庫として機能しにくいという問題がある。
【発明の開示】
【発明が解決しようとする課題】
【０００３】
本発明は、上記のような問題点に鑑み、断熱基礎建物において、床下に設置される恒温収納庫を、暖房の行われる冬期において適正に機能させることができ、しかも、それをうまく実現することができる断熱基礎建物における床下恒温収納システムを提供することを課題とする。
【課題を解決するための手段】
【０００４】
上記の課題は、基礎を断熱基礎とし、断熱基礎で囲まれた床下空間部に恒温収納庫が設けられた建物において、前記断熱基礎と隣り合う屋外の土間コンクリート中に吸冷用熱交換器が埋込み状態に設けられると共に、前記恒温収納庫にその内部に放冷する放冷用熱交換器が備えられ、冬期暖房時、該コンクリート土間の上に積もった雪により、前記吸冷用熱交換器、放冷用熱交換器を通じて恒温収納庫内の温度が周囲床下空間部の温度より低く維持されるようになされていることを特徴とする断熱基礎建物における床下恒温収納システムによって解決される。
【０００５】
このシステムでは、冬期に、屋外のコンクリート土間に上に積もった雪で土間コンクリートが冷やされ、それが吸冷用熱交換器、放冷用熱交換器を通じて恒温収納庫内が冷やされる。従って、冬期に屋内を暖房して床下空間部の温度が高いときでも、恒温収納庫内は涼しく保たれ、恒温収納庫を恒温収納庫として機能させることができる。
【０００６】
しかも、吸冷用熱交換器を屋外の土間コンクリート中に埋込み状態に備えさせているので、吸冷用熱交換器の設置スペースを屋外に確保する必要がないと共に、このコンクリート土間の上を通行しても吸冷用熱交換器を傷めることがなく、屋外のスペースを広くすることができる。のみならず、特にこれから新たに土間コンクリートを施工しようというような場合には、放冷用熱交換器を土間コンクリートを打つ前にセットし、そしてコンクリートを打ち込めばよく、放冷用熱交換器の施工を土間コンクリートの施工の際に併せて行うことができ、効率の良い施工を行うことができる。また、吸冷用熱交換器の備えられる屋外のコンクリート土間は建物の断熱基礎と隣り合うようにして備えられているから、吸冷用熱交換器までの配管を短くすることができる。
【０００７】
加えて、コンクリート土間の上に積もった雪で恒温収納庫内を涼しくするものであるから、該雪は降って積もり、あるいは屋根からの落雪で積もり、あるいは、屋外側の雪がなだれ込んで積もるので、雪を人為的に動かす必要がなく、あるいは動かすとしても、そばの雪を土間の上に載せて積もらせればよく、自然に任せて、あるいは楽に、恒温収納庫内を涼しくすることができて、手間を全くあるいはほとんど必要としない。
【０００８】
更にまた、吸冷用熱交換器は土間コンクリート中に埋込み状態に備えられているので、コンクリートの蓄冷、蓄熱作用によって上記の作動を安定したものにすることができる。
【０００９】
前記屋外のコンクリート土間が建物の北側に備えられている場合は、十分な積雪状態を確保することができて、恒温収納庫を安定良く機能させることができると共に、融雪作用によって北側に積る雪の量を減らすことができる。
【００１０】
また、上記の課題は、基本的には、基礎を断熱基礎とし、断熱基礎で囲まれた床下空間部に恒温収納庫が設けられた建物において、前記断熱基礎と隣り合う屋外の土間コンクリートよりも下位に該土間コンクリートに蓄冷作用を及ぼす態様で吸冷用熱交換器が埋込み状態に設けられると共に、前記恒温収納庫にその内部に放冷する放冷用熱交換器が備えられ、冬期暖房時、土間コンクリートの上に積もった雪により、前記吸冷用熱交換器、放冷用熱交換器を通じて恒温収納庫内の温度が周囲床下空間部の温度より低く維持されるようになされていることを特徴とする断熱基礎建物における床下恒温収納システムによって解決される。
【００１１】
即ち、吸冷用熱交換器は屋外の土間コンクリート中に埋め込まれている必要は必ずしもなく、要は、通行を妨げないように、コンクリート土間の上面よりも下位に土間コンクリートに蓄熱作用を及ぼす態様で埋込み状態に備えられていればよい。
【発明の効果】
【００１２】
本発明は、以上のとおりのものであるから、断熱基礎建物において、床下に設置される恒温収納庫を、暖房の行われる冬期において適正に機能させることができ、しかも、それをうまく実現することができる。
【発明を実施するための最良の形態】
【００１３】
次に、本発明の実施最良形態を図面に基づいて説明する。
【００１４】
図１に示す実施形態の床下恒温収納システムにおいて、１は建物であり、その基礎２は、布基礎からなっていて、その立ち上がり部２ａの両側に基礎コンクリートの打込み用の型枠を兼ねた断熱材３，３が備えられていて、断熱基礎に構成されている。なお、型枠を兼ねずに断熱材をいずれか少なくとも一方の面に設置した断熱基礎であってもよい。なお、４は床下のコンクリート土間である。
【００１５】
そして、断熱基礎２で囲まれた床下空間部９には恒温収納庫１１が設けられ、建物１の北側において断熱基礎２と隣り合うようにして屋外のコンクリート土間５が形成されており、この土間コンクリート５ａ中に吸冷用熱交換器６が埋込み状態に備えられると共に、上記の恒温収納庫１１にその内部に放冷する放冷用熱交換器７が備えられている。両熱交換器６，７はパイプ８で連結され、ポンプＰを駆動することにより、不凍液からなる熱交換媒体が熱交換器６，７間を行き来し、冬期の暖房時に、屋外のコンクリート土間５の上に積もった雪により、吸冷用熱交換器６、放冷用熱交換器７を通じて恒温収納庫１１内の温度が周囲床下空間部９の温度より低く維持されるようになされている。
【００１６】
上記の恒温収納システムでは、断熱基礎建物において、冬期暖房時に、床下９が床上１０と同様に暖かくても、屋外のコンクリート土間５の上に積もった雪によって、床下の恒温収納庫１１内を涼しく保つことができ、恒温収納庫１１を恒温収納庫として機能させることができる。
【００１７】
しかも、屋外のコンクリート土間５の上に積もったあるいは積もらせた雪でそれを実現するものであるから、雪を利用するものでありながら自然に任せてあるいは楽に恒温収納庫１１内を涼しく保つことができるし、屋外スペースがシステムに奪われることもないし、コンクリート土間５の上の雪を融かしてその雪を減らすこともできる。
【００１８】
以上に、本発明の実施形態を示したが、本発明はこれに限られるものではなく、発明思想を逸脱しない範囲で各種の変更が可能である。例えば、吸冷用熱交換器を備えられるコンクリート土間は、一般に、建物の北側であるのが好ましいが、陽の当たりにくいところであれば、東側や西側であってもよく、また、寒く積雪の多い地域では、南側であってもよい。また、使用する熱交換器の種類に制限はなく、例えば、ヒートパイプなどが用いられてもよい。また、吸冷用熱交換器の備えられるコンクリート土間は、建物の断熱基礎と連続するように隣り合っていなくてもよく、例えば庭に設けられたコンクリート土間であってもよい。
【図面の簡単な説明】
【００１９】
【図１】実施形態の恒温収納システムを示す断面側面図である。
【符号の説明】
【００２０】
１…建物
２…断熱基礎
５…コンクリート土間
５ａ…土間コンクリート
６…吸冷用熱交換器
７…放冷用熱交換器
９…床下空間部
１１…恒温収納庫
【図１】
2005105646.tif 000003